(57)【要約】【課題】  ダンパ羽根体を閉塞状態と開放状態との間で直線的に動かすようにして羽根体重量の影響を抑え、ダンパ羽根体をわずかな圧力差でも開放状態に移行させることができる差圧ダンパ装置を提供する。【解決手段】  内側の中空部分を気体が通過可能なダンパ枠体１０に対し、これを閉塞可能とするダンパ羽根体２０が、支持機構部３０で移動可能に支持され、この支持機構部３０は、ダンパ羽根体２０をダンパ枠体１０の正面側で前後に移動させられるリンク機構をなし、一方の空間６０と他方の空間７０との圧力差に伴って、ダンパ羽根体２０に加わる力がダンパ羽根体２０を閉止状態にしようとする力を上回ると、ダンパ羽根体２０が前方にほぼ直線的に移動することから、ダンパ羽根体２０を動かす際にダンパ羽根体２０等の重量の影響を受けにくく、二つの空間の間の圧力差が小さい場合でもダンパ羽根体２０を移動させて開放状態に移行させられる。【選択図】  図２
2019066125.tif 000002
【特許請求の範囲】
【請求項１】
隣合う二つの空間を隔てる壁に配設され、一方の空間の他方の空間に対する圧力差が所定の設定値以下の場合には両空間を非連通とする閉塞状態にある一方、前記圧力差が前記設定値を超える場合には開放状態となって両空間を連通させ、前記一方の空間から他方の空間への気体の移動を許容する差圧ダンパ装置において、
前記気体が内側を通る中空の略筒状部分を少なくとも有し、前記壁に設けられた孔に嵌め込まれて配設されるダンパ枠体と、
当該ダンパ枠体の中空部分を閉塞可能な大きさの略板状体で形成され、ダンパ枠体の前記他方の空間側に配設されるダンパ羽根体と、
一部を静止節として前記ダンパ枠体の内周面に取付けられると共に、他部を前記ダンパ羽根体に取付けられ、ダンパ羽根体をダンパ枠体の正面側に移動可能に支持する支持機構部とを備え、
当該支持機構部が、
前記ダンパ枠体内周面に端部を取付けられて立設される第一の案内レール部と、
長手方向をダンパ羽根体の上下方向に一致させてダンパ羽根体におけるダンパ枠体寄りの面に取付けられる第二の案内レール部と、
一端部を第一の案内レール部の上部に揺動可能に取り付けられると共に、他端部を第二の案内レール部に上下移動可能且つ揺動可能に取り付けられる第一のリンク部材と、
一端部を第一の案内レール部に上下移動可能且つ揺動可能に取り付けられると共に、他端部を第二の案内レール部の上部に揺動可能に取り付けられる第二のリンク部材とを有し、
前記第一のリンク部材における中間の所定箇所と、当該中間所定箇所と交差する第二のリンク部材における中間の所定箇所とを互いに揺動可能に連結してなることを
特徴とする差圧ダンパ装置。
【請求項２】
前記請求項１に記載の差圧ダンパ装置において、
前記支持機構部における第二のリンク部材の一端部に着脱可能に配設される錘部を備えることを
特徴とする差圧ダンパ装置。
【発明の詳細な説明】
【技術分野】
【０００１】
本発明は、二つの空間を隔てる壁に配置され、両空間の圧力差を所定範囲に抑える差圧ダンパ装置に関する。
【背景技術】
【０００２】
空気調和設備の一部として、二つの空間を仕切る壁等に配設され、一方の空間内の気体圧力が設定値を超えて他方の空間より高くなった場合に、圧力差に基づいて開放状態となり、相対圧力の高い気体を一方の空間から他方の空間へ流出させて圧力差を緩和し、一方の空間の圧力をほぼ一定に維持すると共に他方の空間からの気体の逆流を防ぐ差圧ダンパ装置は、用途に応じて様々なものが従来から用いられている。その中で、平行クランク機構を用いてダンパ羽根体を支持し、ダンパ羽根体の向きを常にダンパ枠体開口面に平行として、ダンパ枠体とダンパ羽根体間の開口部を羽根体全周囲に広く確保しつつ、構造の簡略化を図ったものが、本出願人により提案されている。この差圧ダンパ装置の例は、特開２００５−２５７１３６号公報に示される。
【先行技術文献】
【特許文献】
【０００３】
【特許文献１】特開２００５−２５７１３６号公報
【発明の概要】
【発明が解決しようとする課題】
【０００４】
従来の差圧ダンパ装置は前記特許文献に示されるような構成となっており、構造の簡略化によりコストダウンが図れ、且つ、装置の厚み方向の必要寸法を抑えられるという特長を有している。
【０００５】
ただし、従来の差圧ダンパ装置は、ダンパ羽根体がダンパ枠体の開口を塞ぐ状態から斜め上に傾動することで開放状態となる構成のため、ダンパ羽根体に対しその重量に基づいて閉止側に移動させようとする向きに加わる力が比較的大きく、装置で隔てられる二つの空間の間の圧力差が小さい状況では、ダンパ羽根体を開放状態とするように移動させる力が不足して開放には至らず、圧力差を緩和できないという課題を有していた。
【０００６】
こうした従来の機構において、圧力差が小さくても開放可能にするため、ダンパ羽根体又はアーム部に錘（ウェイト）を付けて、ダンパ羽根体を閉止側に向かわせる力が弱まるようにすることも考えられるが、その場合、圧力差が解消した際にダンパ羽根体が開放状態から閉止状態にスムーズに復帰できない事態が生じたり、閉止状態でもダンパ羽根体がダンパ枠体に密着できず、ダンパ羽根体とダンパ枠体との間に隙間が生じて、気体の逆流など、望ましくない気体の流通状態が発生するおそれがある、という課題を有していた。
【０００７】
本発明は前記課題を解消するためになされたもので、ダンパ羽根体を閉塞状態と開放状態との間で直線的に動かすようにして羽根体重量の影響を抑え、ダンパ羽根体をわずかな圧力差でも開放状態に移行させることができ、圧力差を適切に制御、解消できる差圧ダンパ装置を提供することを目的とする。
【課題を解決するための手段】
【０００８】
本発明に係る差圧ダンパ装置は、前記気体が内側を通る中空の略筒状部分を少なくとも有し、前記壁に設けられた孔に嵌め込まれて配設されるダンパ枠体と、当該ダンパ枠体の中空部分を閉塞可能な大きさの略板状体で形成され、ダンパ枠体の前記他方の空間側に配設されるダンパ羽根体と、一部を静止節として前記ダンパ枠体の内周面に取付けられると共に、他部を前記ダンパ羽根体に取付けられ、ダンパ羽根体をダンパ枠体の正面側に移動可能に支持する支持機構部とを備え、当該支持機構部が、前記ダンパ枠体内周面に端部を取付けられて立設される第一の案内レール部と、長手方向をダンパ羽根体の上下方向に一致させてダンパ羽根体におけるダンパ枠体寄りの面に取付けられる第二の案内レール部と、一端部を第一の案内レール部の上部に揺動可能に取り付けられると共に、他端部を第二の案内レール部に上下移動可能且つ揺動可能に取り付けられる第一のリンク部材と、一端部を第一の案内レール部に上下移動可能且つ揺動可能に取り付けられると共に、他端部を第二の案内レール部の上部に揺動可能に取り付けられる第二のリンク部材とを有し、前記第一のリンク部材における中間の所定箇所と、当該中間所定箇所と交差する第二のリンク部材における中間の所定箇所とを互いに揺動可能に連結してなるものである。
【０００９】
このように本発明によれば、内側の中空部分を気体が通過可能なダンパ枠体に対し、これを閉塞可能とするダンパ羽根体が、支持機構部で移動可能に支持され、この支持機構部は、ダンパ羽根体をダンパ枠体の正面側で前後に移動させられる所定自由度のリンク機構をなし、一方の空間と他方の空間との圧力差に伴って、一方の空間からダンパ羽根体に加わる気体圧力がダンパ羽根体を閉止状態にしようとする力を上回ると、ダンパ枠体に対しダンパ羽根体がその向きをほとんど変えずに前後方向に移動するようにして、ダンパ枠体を開放状態とすることにより、ダンパ枠体とダンパ羽根体間の開口部を羽根体全周囲に大きく確保でき、ダンパ枠体とダンパ羽根体間における気流の通過を容易にして、大量の気体を効率よく一方の空間から他方の空間に移動させられ、二つの空間間の圧力差を設定圧内に速やかに調整できる。また、ダンパ羽根体を前後方向にほぼ直線的に移動させるようにして、ダンパ羽根体を前方に動かす際にダンパ羽根体や支持機構部の重量の影響を受けにくくし、二つの空間の間の圧力差が小さい場合でもダンパ羽根体を前方に移動させてダンパ枠体を開放状態とすることができる。
【００１０】
また、本発明に係る差圧ダンパ装置は必要に応じて、前記支持機構部における第二のリンク部材の一端部に着脱可能に配設される錘部を備えるものである。
【００１１】
このように本発明によれば、支持機構部における第二のリンク部材の一端部に、錘部を配設し、第一の案内レール部に対し上下移動する第二のリンク部材の一端部に錘部の荷重が下向きの力を付与することにより、第二のリンク部材の一端部を下げて支持機構部をダンパ枠体の前後方向に縮むようにし、ダンパ羽根体にこれを一方の空間側へ移動させる力を加えられることとなり、錘部の取付量を変えて、ダンパ羽根体のダンパ枠体開放に係る移動における圧力差に対する感応性を適宜調整できると共に、ダンパ羽根体の一方の空間側への移動を促して、圧力差が解消すると速やかに閉止状態に復帰でき、且つ、ダンパ羽根体がダンパ枠体に当接する状態においても、さらに一方の空間側にダンパ羽根体を移動させようとする力を生じさせて、ダンパ羽根体をダンパ枠体に密着させられ、圧力差以外の原因による無用な開放状態が生じるのを防止できる。
【図面の簡単な説明】
【００１２】
【図１】本発明の第１の実施形態に係る差圧ダンパ装置の正面図である。
【図２】本発明の第１の実施形態に係る差圧ダンパ装置の閉塞状態における縦断面図である。
【図３】本発明の第１の実施形態に係る差圧ダンパ装置の支持機構部における第一の案内レール部への第二のリンク部材一端部取付状態説明図である。
【図４】本発明の第１の実施形態に係る差圧ダンパ装置の支持機構部における第二の案内レール部への第一のリンク部材他端部取付状態説明図である。
【図５】本発明の第１の実施形態に係る差圧ダンパ装置の開放開始状態における縦断面図である。
【図６】本発明の第１の実施形態に係る差圧ダンパ装置の第１の通過流量時での開放状態における縦断面図である。
【図７】本発明の第１の実施形態に係る差圧ダンパ装置の第２の通過流量時での開放状態における縦断面図である。
【図８】本発明の第１の実施形態に係る差圧ダンパ装置の第３の通過流量時での開放状態における縦断面図である。
【図９】本発明の第２の実施形態に係る差圧ダンパ装置の閉塞状態における縦断面図である。
【図１０】本発明の第２の実施形態に係る差圧ダンパ装置の開放開始状態における縦断面図である。
【図１１】本発明の第２の実施形態に係る差圧ダンパ装置の第１の通過流量時での開放状態における縦断面図である。
【図１２】本発明の第２の実施形態に係る差圧ダンパ装置の第２の通過流量時での開放状態における縦断面図である。
【図１３】本発明の第２の実施形態に係る差圧ダンパ装置の第３の通過流量時での開放状態における縦断面図である。
【図１４】本発明の第３の実施形態に係る差圧ダンパ装置の閉塞状態における縦断面図である。
【図１５】本発明の第３の実施形態に係る差圧ダンパ装置の開放開始状態における縦断面図である。
【図１６】本発明の第３の実施形態に係る差圧ダンパ装置の第１の通過流量時での開放状態における縦断面図である。
【図１７】本発明の第３の実施形態に係る差圧ダンパ装置の第２の通過流量時での開放状態における縦断面図である。
【図１８】本発明の第３の実施形態に係る差圧ダンパ装置の第３の通過流量時での開放状態における縦断面図である。
【発明を実施するための形態】
【００１３】
（本発明の第１の実施形態）
以下、本発明の第１の実施形態に係る差圧ダンパ装置を前記図１ないし図８に基づいて説明する。
前記各図において本実施形態に係る差圧ダンパ装置１は、二つの空間６０、７０を隔てる壁５０の所定位置に配設される方形枠状のダンパ枠体１０と、このダンパ枠体１０に対し空間７０側に配設されてダンパ枠体１０の開口部を開閉するダンパ羽根体２０と、一部をダンパ枠体１０の内周面に取付けられると共に、他部をダンパ羽根体２０に取付けられて、ダンパ羽根体２０をダンパ枠体１０に対し移動可能に支持する支持機構部３０と、この支持機構部３０の所定箇所に取り付けられる錘部４０とを備える構成である。
【００１４】
前記ダンパ枠体１０は、方形断面形状で中空の筒状部分を有する枠状体で形成され、二つの空間６０、７０を隔てる壁５０に設けられた孔に嵌め込まれて配設される構成であり、高圧側の一方の空間６０と低圧側の他方の空間７０との圧力差が設定圧力を越える程度に達して、圧力差に基づいて空間７０側へ押されたダンパ羽根体２０が開放状態に至った場合に、枠体内側部分において一方の空間６０から他方の空間７０側へ空気を通過させる仕組みである。このダンパ枠体１０のダンパ羽根体２０当接面には、当接時における両部材間の微小な隙間を排除する弾性材製のパッキン１１が配設される。
【００１５】
前記ダンパ羽根体２０は、他方の空間７０に面するダンパ枠体１０開口部を閉止可能な大きさとされると共に、中央部分を凸状に突出させた、方形の略板状体からなるものである。このダンパ羽根体２０は、ダンパ枠体１０に支持機構部３０を介して取付けられ、ダンパ枠体１０の他方の空間７０寄り端部に、突出側を他方の空間７０側へ向けた状態で配設される。このダンパ羽根体２０がダンパ枠体１０と当接してダンパ枠体１０開口部を閉止する状態では、ダンパ羽根体２０はその中心をダンパ枠体１０の中心と一致させるように配置される。なお、ダンパ羽根体２０の背面、すなわち一方の空間６０に向いた面は、反対側の凸状の突出形状とは逆の凹状をなす形状とされる構成である。
【００１６】
このダンパ羽根体２０は、支持機構部３０を介して、ダンパ枠体１０に対し移動可能に支持される。具体的には、一方の空間６０から他方の空間７０へ向う方向を前方向、その逆方向を後方向とすれば、ダンパ羽根体２０はダンパ枠体１０の他方の空間７０に面する開口部を閉止する位置を基準としてその前方所定範囲を前後に移動可能とされる。
【００１７】
二つの空間６０、７０の間の圧力差が大きい場合、ダンパ羽根体２０は、一方の空間６０側からの気体圧力を受けて、ダンパ枠体１０との当接状態から前方、すなわち他の空間７０側へ動く一方、圧力差が低下すると後退して元の状態に復帰するなど、ダンパ枠体１０開口部を両空間６０、７０の圧力差に応じ開閉しつつ、空間６０内の気体のダンパ枠体１０内を通じた他の空間７０側への流出を許容する仕組みとなっている。
【００１８】
前記支持機構部３０は、一部を静止節としてダンパ枠体１０の内周面に取付けられると共に、他部をダンパ羽根体２０に取付けられ、ダンパ羽根体２０をダンパ枠体１０の開口部正面側に略直線的に移動可能に支持するものである。
【００１９】
詳細には、支持機構部３０は、ダンパ枠体１０内周面に端部を取付けられて立設される第一の案内レール部３１と、長手方向をダンパ羽根体２０の上下方向に一致させてダンパ羽根体２０におけるダンパ枠体１０寄りの面に取付けられる第二の案内レール部３２と、一端部を第一の案内レール部３１の上部に揺動可能に取り付けられると共に、他端部を第二の案内レール部３２に上下移動可能且つ揺動可能に取り付けられる第一のリンク部材３３と、一端部を第一の案内レール部３１に上下移動可能且つ揺動可能に取り付けられると共に、他端部を第二の案内レール部３２の上部に揺動可能に取り付けられる第二のリンク部材３４とを有する構成である。
【００２０】
前記第一の案内レール部３１は、ダンパ枠体１０内周の上下面に両端部をそれぞれ取り付けられて、枠内を上下に縦断する配置で内周面間に架設される細長い矩形枠状部材であり、上端側が下端側より前方（他方の空間７０側）に位置してわずかに前傾状態とされる構成である。この第一の案内レール部３１に第二のリンク部材３４の一端部が上下に摺動可能に係合する仕組みである。
【００２１】
前記第二の案内レール部３２は、ダンパ羽根体２０の背面、すなわち一方の空間６０側を向いたダンパ枠体１０寄りの面の略中央に、長手方向をダンパ羽根体２０の上下方向に一致させて取付けられる細長い矩形枠状部材である。この第二の案内レール部３２の下寄り所定範囲には、第一のリンク部材３３他端部を上下に摺動可能且つ揺動可能に係合させる長孔状のガイド部３２ａが設けられる。
【００２２】
前記第一のリンク部材３３は、細長い矩形枠状部材からなる本体部３３ａと、この本体部３３ａの長手方向の端部に設けられる軸部３３ｂとを有してなり、本体部３３ａにおける軸部３３ｂのない側である一端部を第一の案内レール部３１の上部に揺動可能に取り付けられると共に、軸部３３ｂのある他端部を、この軸部３３ｂを第二の案内レール部３２におけるガイド部３２ａに係合させることで、この第二の案内レール部３２に上下移動可能且つ揺動可能に取り付けられる構成である。
【００２３】
前記第二のリンク部材３４は、細長い矩形枠状部材からなる本体部３４ａと、この本体部３４ａの長手方向の一端部に揺動可能に配設される摺動部３４ｂとを有してなり、本体部３４ａの一端部における摺動部３４ｂを第一の案内レール部３１における前側（他方の空間７０側）の板状部分に摺動可能に係合させることで、一端部を第一の案内レール部３１に上下移動可能且つ揺動可能に取り付けられると共に、他端部を第二の案内レール部３２の上端部に揺動可能に取り付けられる構成である。
【００２４】
これら第一のリンク部材３３と第二のリンク部材３４については、第一のリンク部材３３の本体部３３ａにおける中間の所定箇所と、この中間所定箇所と交差する第二のリンク部材３４の本体部３４ａにおける中間の所定箇所とが互いに揺動可能に連結される仕組みである。
【００２５】
これにより、第一の案内レール部３１と、第二の案内レール部３２と、第一のリンク部材３３と、第二のリンク部材３４とを有する支持機構部３０は、第一の案内レール部３１と第二の案内レール部３２との間隔を変更可能な、全体として伸縮する四節のリンク機構をなす。
【００２６】
この支持機構部３０では、ダンパ枠体１０側の第一の案内レール部３１に対し、ダンパ羽根体２０背面の凹形状に対応させて、第二の案内レール部３２の長さを小さくした構成上、交差する各リンク部材３３、３４が、これらの中間の連結箇所が各リンク部材の長さの１／２の位置にない不等長リンクとなっていることに加え、二つの案内レール部３１、３２が平行でないため、厳正な直線運動機構とはならないものの、ダンパ羽根体２０をダンパ枠体１０の開口部正面でほぼ直線的に前後移動させることができる。
【００２７】
詳細には、各リンク部材３３、３４の中間の連結箇所から各端部までの長さが異なることで、ダンパ羽根体２０が前方へ移動しながら徐々に上にも移動する作動状態となるのを、第一の案内レール部３１をわずかに前傾状態にすることで、ダンパ羽根体２０の上方への移動量を相対的に抑えるようにしている。ただし、第一の案内レール部３１を前傾状態にしたことで、これと第二の案内レール部３２、厳密には第二のリンク部材３４一端部の摺動方向と第一のリンク部材３３他端部の摺動方向とが、平行になっておらず、ダンパ羽根体２０は前方に進んで開放度合いを大きくするほど、ダンパ羽根体２０下部が上部より少し前方に進んでダンパ羽根体２０全体がわずかに後ろに傾く機構となっている。
【００２８】
しかしながら、ダンパ羽根体２０は少なくともダンパ枠体１０の近傍では直線的に移動すると見なせ、ダンパ羽根体２０を前方に動かす際にダンパ羽根体２０や支持機構部３０の重量の影響を受けにくく、二空間の間の圧力差が小さい場合でもダンパ羽根体２０を前方に移動させてダンパ枠体１０を開放状態とすることができる。
【００２９】
前記錘部４０は、第二のリンク部材３４における本体部３４ａの一端部に着脱可能に取り付けられるものである。
この錘部４０は、第二のリンク部材３４の第一の案内レール部３１に対する揺動の中心位置より前記他方の空間７０寄りに位置して、第二のリンク部材３４の揺動中心まわりに第二のリンク部材３４を下向きに揺動させようとする回転モーメントを生じさせる一方、第二のリンク部材３４の一端部の第一の案内レール部３１に対する上方への摺動に対し荷重として作用するようにしている。そして、この錘部４０の取付量（総重量）を変えることで、ダンパ羽根体２０の移動の、圧力差に対する感応性を調整できる仕組みである。
【００３０】
この錘部４０と第二のリンク部材３４との組合せで、第二のリンク部材３４はその一端部を第一の案内レール部３１に対し下げるように付勢される状態となっており、これに伴って支持機構部３０はダンパ枠体１０の前後方向に縮もうとし、ダンパ羽根体２０がダンパ枠体１０に当接する状態においても、さらに閉じ方向である一方の空間６０側にダンパ羽根体を移動させようとする力が加わる仕組みである。これにより、ダンパ羽根体２０をダンパ枠体１０に密着させ、ダンパ羽根体２０が圧力差以外の原因で開放状態となるのを防げる。
【００３１】
次に、前記構成に基づく差圧ダンパ装置の作動状態について説明する。
差圧ダンパ装置を取付けた壁５０で隔てられた二つの空間６０、７０間の圧力差が設定圧力を越えると、支持機構部３０の交差する各リンク部材の下端部をそれぞれ案内レール部に対し下げる向きに加わって、各リンク部材の開口正面方向の伸長量を縮小しようとする荷重に基づく、ダンパ羽根体２０をダンパ枠体１０に押付けようとする閉塞力に対し、圧力差に伴ってダンパ羽根体２０を他方の空間７０側へ押す一方の空間６０の気体の圧力が打勝ち、この気体圧力で押されるダンパ羽根体２０が、ダンパ枠体１０開口部の正面側に、ダンパ羽根体２０の向きをほぼ維持したままで、支持機構部３０各部の動きを伴いながら移動を開始し、ダンパ枠体１０とダンパ羽根体２０間に一様な隙間が生じる（図５参照）。
【００３２】
そして、続けて一方の空間６０の気体圧力に押されるダンパ羽根体２０が、ダンパ枠体１０に対しそのまま前方へ進んでダンパ枠体１０との間隔を大きくし、ダンパ枠体１０とダンパ羽根体２０間に開口を生じさせた開放状態が得られる（図６、図７、図８参照）。
【００３３】
開放状態では、より圧力の高い空間６０内の気体がダンパ枠体１０内に入り、ダンパ枠体１０とダンパ羽根体２０との間を通って空間７０へ流出する。このダンパ羽根体２０の開放時、ダンパ枠体１０とダンパ羽根体２０間の開口部分をダンパ羽根体全周囲に確保し、且つダンパ枠体１０とダンパ羽根体２０との間隔をほぼ均等にしていることで、ダンパ枠体１０とダンパ羽根体２０間における気流の通過を容易にして、圧力差が大きく大量の気体が一方の空間６０から他方の空間７０へ移動しようとする場合でも、気体を効率よく他方の空間へ流入させることができる。
【００３４】
ダンパ羽根体２０がダンパ枠体１０を閉止する状態から開放側に移動する際には、支持機構部３０のリンク機構により、ダンパ羽根体２０は、羽根体自体や支持機構部３０の重量の影響をほとんど受けずに、ダンパ枠体１０に対しほぼ直線的に移動する状態となることから、圧力差に基づいてダンパ羽根体２０を開放側に動かそうとする力が小さい場合でも、ダンパ羽根体２０が移動できることとなり、圧力差が小さくても開放による気体の他方の空間側への移動を実現させられる。
【００３５】
また、開放状態で、一方の空間６０側から他方の空間７０側へ向う気流のうち、ダンパ羽根体２０の背面にぶつかる気流を、背面をなす凹状面で受けて外周側に導く状態となり、気流からの動圧をダンパ羽根体２０の前方への移動に有効に利用することができ、ダンパ羽根体２０をスムーズに他方の空間側へ動かしてダンパ枠体１０とダンパ羽根体２０間の開口を十分確保できる。
【００３６】
一方、高圧側の空間６０から低圧側の空間７０への空気の流出で、二つの空間の圧力差が設定圧力以下に下がると、ダンパ羽根体２０をダンパ枠体１０に近付けようとする閉塞力が、ダンパ羽根体２０を他方の空間７０側へ押す一方の空間６０の気体の圧力を上回るようになる。これに伴い、ダンパ羽根体２０は支持機構部３０の動きを伴いつつ、後退してダンパ枠体１０に対し近付く向きに移動する。
【００３７】
そして、ダンパ羽根体２０は、ダンパ枠体１０に対する向きを一定にしつつ、支持機構部３０の動きを伴いながら移動を続けて、最終的にダンパ枠体１０に当接して開口を塞ぎ、再び二つの空間６０、７０を隔離した状態とする。
【００３８】
気体の圧力変化に伴って、ダンパ羽根体２０がダンパ枠体１０近傍からダンパ枠体１０に接してこれを閉止する際や、逆にダンパ羽根体２０がダンパ枠体１０を閉止する状態から開放側に移動を開始する際には、支持機構部３０のリンク機構により、ダンパ羽根体２０はダンパ枠体１０に対し直線的に移動する状態となることから、ダンパ羽根体２０とダンパ枠体１０との間で気密を維持するパッキン１１に対し、ダンパ羽根体２０が一様に離隔、接近できることとなり、ダンパ羽根体２０がパッキン１１表面を擦ることはなく、パッキン１１表面の摩耗を生じにくくして弾性材の劣化を抑え、パッキン１１の気密保持機能を適切に維持できる。
【００３９】
ダンパ羽根体２０がダンパ枠体１０の開口端部を塞ぐ状態では、支持機構部３０の各リンク部材３３、３４の下端部をそれぞれ案内レール部３１、３２に対し下げる向きに付加される荷重で、支持機構部３０の前後方向の伸長量を縮小して、ダンパ羽根体２０をダンパ枠体１０に押付ける力が作用することにより、ダンパ羽根体２０は、空間６０の圧力が空間７０に対し設定圧以上とならない限り、勝手に開いたり当接時に振動したりすることはない。
【００４０】
また、急な圧力状態の変化で他方の空間７０の圧力が空間６０より高くなり、逆流が発生しやすい状況となった場合でも、ダンパ羽根体２０が閉じる際、他方の空間７０側からダンパ羽根体２０を押す気流はダンパ羽根体２０の突出形状に沿って流れてそのまま外周からその延長方向に離れていき、気流はダンパ枠体１０とダンパ羽根体２０との間の開口部分に流入しにくくなっており、ダンパ羽根体２０が閉じた状態となる前に逆流となる気体の流入が生じる危険性は極めて少ない。
【００４１】
ダンパ羽根体２０が動いて開放状態となる設定圧力を調整する場合は、第二のリンク部材３４への錘部４０の各ウェイト４１を取り付ける量を変え、この錘部４０の荷重に基づいて第二のリンク部材３４の下端部を案内レール部３１に対し下げようとする力の大きさを調整する。
【００４２】
この場合、錘部４０の荷重が小さいほど、第二のリンク部材３４端部を下げて支持機構部３０の前後方向の伸長量を縮小し、ダンパ羽根体２０をダンパ枠体１０側に動かそうとする力、すなわち、ダンパ羽根体２０を開放側に動かそうとする力に対する抵抗力（反力）が小さくなる。すなわち、開放時の設定圧がより低い値となる。こうして、錘部４０を調整することで、ダンパ羽根体２０の移動が開始する開放時の設定圧力を容易に変更できる。
【００４３】
また、必要に応じて、第二のリンク部材３４端部の揺動中心位置に対する錘部４０の位置関係を変更可能として、ダンパ羽根体２０の開閉における錘部４０の荷重の影響度合いを調整できる。例えば、錘部４０を第二のリンク部材３４端部の揺動中心位置より一方の空間６０寄りに位置させた場合は、第二のリンク部材３４をその一端部（上端部）が第一の案内レール部３１に近付く向きに揺動させて、同時に第二のリンク部材３４下端部を下げる動きが、錘部の荷重で促される分、同じ錘部が揺動中心位置より他方の空間７０寄りに位置する場合より、支持機構部３０の前後方向の伸長量を縮小してダンパ羽根体２０をダンパ枠体１０側に動かそうとする力、すなわち、ダンパ羽根体２０開放に対する抵抗力が大きくなる。
【００４４】
このように、本実施形態に係る差圧ダンパ装置においては、内側の中空部分を気体が通過可能なダンパ枠体１０に対し、これを閉塞可能とするダンパ羽根体２０が、支持機構部３０で移動可能に支持され、この支持機構部３０は、ダンパ羽根体２０をダンパ枠体１０の正面側で前後に移動させられる所定自由度のリンク機構をなし、一方の空間６０と他方の空間７０との圧力差に伴って、一方の空間６０からダンパ羽根体２０に加わる気体圧力がダンパ羽根体２０を閉止状態にしようとする力を上回ると、ダンパ枠体１０に対しダンパ羽根体２０がその向きをほとんど変えずに前後方向に移動するようにして、ダンパ枠体１０を開放状態とすることから、ダンパ枠体１０とダンパ羽根体２０間の隙間を羽根体全周囲に大きく確保でき、ダンパ枠体１０とダンパ羽根体２０間における気流の通過を容易にして、大量の気体を効率よく一方の空間６０から他方の空間７０に移動させられ、二つの空間間の圧力差を設定圧内に速やかに調整できる。また、ダンパ羽根体２０を前後方向にほぼ直線的に移動させるようにして、ダンパ羽根体２０を前方に動かす際にダンパ羽根体２０や支持機構部３０の重量の影響を受けにくくし、二つの空間の間の圧力差が小さい場合でもダンパ羽根体２０を前方に移動させてダンパ枠体１０を開放状態とすることができる。
【００４５】
（本発明の第２の実施形態）
前記第１の実施形態に係る差圧ダンパ装置においては、支持機構部３０における第一の案内レール部３１を前傾状態でダンパ枠体１０に取り付ける一方、第二の案内レール部３２をダンパ羽根体２０の閉止状態でダンパ枠体１０の開口面と平行になるよう配置して、案内レール部３１、３２同士を平行に配置しない構成としているが、この他、第２の実施形態として、支持機構部３０の案内レール部３１、３２同士を平行に配置する、より詳細には、図９ないし図１３に示すように、第一の案内レール部３１における第二のリンク部材３４一端部の摺動方向と、第二の案内レール部３２における第一のリンク部材３３他端部の摺動方向とが、平行となるように配置して、ダンパ羽根体２０を前後に移動させても第二の案内レール部３２及びダンパ羽根体２０の向きを変化させないようにする構成とすることができる。この場合、ダンパ枠体１０とダンパ羽根体２０間の開口をダンパ羽根体全周囲に均等な大きさで確保でき、一方の空間６０から他方の空間７０へダンパ羽根体２０の全周を通じて抵抗なくスムーズに進行させられる。
【００４６】
（本発明の第３の実施形態）
前記第１の実施形態に係る差圧ダンパ装置において、支持機構部３０は、各リンク部材３３、３４の連結箇所から各端部までの長さが異なるようにして、ダンパ羽根体２０が前方へ移動するほど少しずつ上方にずれるようなリンク機構をなす構成としているが、この他、第３の実施形態として、図１４ないし図１８に示すように、支持機構部３０の各リンク部材３３、３４の連結位置前後の長さを等しくする構成とすることもできる。この場合、ダンパ羽根体２０を正確に直線的に前後移動させられ、圧力差によりダンパ羽根体２０に加わる気体圧力を有効に活用して、小さい圧力差でもダンパ羽根体２０を動かして気体を移動させられ、圧力差の解消が図れることとなる。
【符号の説明】
【００４７】
１              差圧ダンパ装置
１０            ダンパ枠体
１１            パッキン
２０            ダンパ羽根体
３０            支持機構部
３１、３２      案内レール部
３３、３４      リンク部材
３３ａ、３４ａ  本体部
３３ｂ          軸部
３４ｂ          摺動部
４０            錘部
４１            ウェイト
５０            壁
６０、７０      空間
【図１】
2019066125.tif 000003
【図２】
2019066125.tif 000004
【図３】
2019066125.tif 000005
【図４】
2019066125.tif 000006
【図５】
2019066125.tif 000007
【図６】
2019066125.tif 000008
【図７】
2019066125.tif 000009
【図８】
2019066125.tif 000010
【図９】
2019066125.tif 000011
【図１０】
2019066125.tif 000012
【図１１】
2019066125.tif 000013
【図１２】
2019066125.tif 000014
【図１３】
2019066125.tif 000015
【図１４】
2019066125.tif 000016
【図１５】
2019066125.tif 000017
【図１６】
2019066125.tif 000018
【図１７】
2019066125.tif 000019
【図１８】
2019066125.tif 000020